(57)【特許請求の範囲】
【請求項１】
建築物立面に設置可能に所定の長さを有して棒状に形成された第一の手摺りと、この第一の手摺りの周囲に筒状に設けられて回動する支持部と、この支持部から棒状に延設された第二の手摺りと、前記支持部の回動を制限する止め具を備えて前記第一の手摺りの周囲に筒状に設けられた係止部と、前記支持部の前記第一の手摺り長手方向への移動を防止する保持部とを有し、前記支持部は筒状の周面の一部を切り欠いて弧状に設けられる第一の突起部を備え、前記係止部は前記周面の切り欠かれた部分に筒状の一部を残して弧状に設けられる第二の突起部を備え、前記止め具は前記周面の切り欠かれた部分に介挿可能に設けられる第三の突起部を備え、この第三の突起部は前記第二の突起部とで両側から前記第一の突起部を挟むように介挿されて、前記支持部の回動を制限することを特徴とする手摺り装置。
【請求項２】
前記第一の手摺りは長手方向に複数の位置調整孔が所定の間隔で穿設されており、前記係止部と保持部は前記位置調整孔に符合する固定孔を有していることを特徴とする請求項１記載の手摺り装置。
【請求項３】
前記第一の手摺りの一の端部に設けられたＴ字型連結部と、このＴ字型連結部を介して前記第一の手摺りに垂設された第三の手摺りとを有し、前記第三の手摺りは前記建築物立面に設置されることを特徴とする請求項１または２記載の手摺り装置。
【発明の詳細な説明】
【０００１】
【発明の属する技術分野】
本発明は、浴室、トイレ、寝室などに設置され、高齢者や身体障害者などの動作を補助する手摺り装置に関する。
【０００２】
【従来の技術】
従来、手摺り装置は手摺りの両端部にそれぞれ設けられた端部金具を用いて柱や壁に固定されていた。
しかしながら、大人から子供まで手摺りを使用する場合には、必要な高さが一定ではないため複数の高さに対応しようとすると取り外して再度設置しなければならず、端部金具の設置跡が残ったりするため見た目が悪くなったり、何度も繰り返していると端部金具がゆるくなって使用中に外れてしまうという危険性もあった。
【０００３】
そこで、特開２００１−２７０２６号公報（以下、イ号公報という。）には手摺りの高さ、位置を変えることができる手摺り装置が開発され開示されている。
以下、図６を参照しながらイ号公報に開示された手摺り装置の従来例について説明する。
【０００４】
図６は、手摺り装置の従来例を示す構成図である。図６において、移動式手摺り装置３０は、例えばステンレス鋼製で断面円形の手摺り３１を有しており、この手摺り３１の一の端部には中間金具３２が他の端部には中間座３３が設けられており、それぞれ縦手摺り３４と台座３５を介して柱あるいは壁面などに設置されている。手摺り３１の中間金具３２には、縦手摺り３４に設けられた位置調整用孔４０と符合する位置にねじ孔３６が穿設されており、また、中間座３３にも
位置調整用孔４１と符合する位置にねじ孔３７が穿設されている。なお、縦手摺り３４は、ねじ孔３８で、台座３５はねじ孔３９でそれぞれねじ留めされて柱や壁面に堅固に固定される。
【０００５】
このように構成された移動式手摺り装置３０は、中間金具３２と中間座３３のねじ孔３６，３７にねじを螺設することによって手摺り３１の高さを調整しつつ固定することができる。
【０００６】
【発明が解決しようとする課題】
しかしながら、これらの手摺り装置は柱や壁面に対して並行して設けられる手摺りであり、その高さや位置の調整が行えても柱や壁にかなり近づくことが必要であり、使用の態様は必ずしも多様ではないという課題を有していた。
【０００７】
すなわち、従来の手摺りは壁や柱に並行して設置されるため、例えば、運動場に設置された鉄棒のように、手摺りを両手で握りながら、上体をその手摺りを越えてしっかりと支えるようなことができなかった。下半身の弱い高齢者や身体障害者の場合、腕によって体重を支えることが多いものの、従来の手摺り装置では、構造上両腕を用いて体重を支えることが必ずしも容易ではないという課題を有していた。
【０００８】
本発明はかかる従来の事情に対処してなされたものであり、高齢者や身体障害者などが、浴室やトイレあるいは寝室で必要なときに手軽に手摺りを移動させつつ両手をかけて手摺りの上に身を乗り出すようにして上体を起こすことができる手摺り装置を提供することを目的とする。
【０００９】
【課題を解決するための手段】
上記目的を達成するため、請求項１記載の発明である手摺り装置は、建築物立面に設置可能に所定の長さを有して棒状に形成された第一の手摺りと、この第一の手摺りの周囲に筒状に設けられて回動する支持部と、この支持部から棒状に延設された第二の手摺りと、支持部の回動を制限する止め具を備えて第一の手摺りの周囲に筒状に設けられた係止部と、支持部が第一の手摺りの長手方向へ移動することを防止する保持部とを有し、支持部は筒状の周面の一部を切り欠いて弧状に設けられる第一の突起部を備え、係止部は周面の切り欠かれた部分に筒状の一部を残して弧状に設けられる第二の突起部を備え、止め具は周面の切り欠かれた部分に介挿可能に設けられる第三の突起部を備え、この第三の突起部は第二の突起部とで両側から第一の突起部を挟むように介挿されて、支持部の回動を制限するものである。
【００１０】
上記構成の手摺り装置においては、第二の手摺りが第一の手摺りの周囲に回動するため、第一の手摺りを建築物の立面に並行に設置した場合、第二の手摺りは建築物の立面に対して所定の角度まで移動する。また、止め具は回動を制限するので、所定の角度に第二の手摺りが回転した後に第二の手摺りを固定する。さらに、支持部は保持部によって第一の手摺りの長手方向に対して固定される。
【００１１】
また、請求項２に記載の発明では、請求項１記載の手摺り装置において、第一の手摺りの長手方向に複数の位置調整孔が所定の間隔で穿設されており、係止部と保持部が第一の手摺りに穿設された位置調整孔と符合する固定孔を有するものである。
【００１２】
上記構成の手摺り装置においては、さらに、第一の手摺りの長手方向に係止部と保持部が移動可能に設置され、もって第一の手摺りの長手方向に第二の手摺りが移動可能に設置される。
【００１３】
請求項３に記載の発明である手摺り装置は、請求項１または請求項２記載の手摺り装置において、第一の手摺りの一の端部に設けられたＴ字型連結部と、このＴ字型連結部を介して第一の手摺りに垂設された第三の手摺りとを有し、その第三の手摺りが建築物立面に設置されているものである。
【００１４】
上記構成の手摺り装置は、第一の手摺りに加えて第三の手摺りによって、より堅固に建築物の立面に設置される。
【００１５】
【発明の実施の形態】
以下に、本発明に係る手摺り装置の第１の実施の形態を図１に基づき説明する。（請求項１および３に対応）
【００１６】
図１は第１の実施の形態に係る水平可動型手摺り装置の概念図である。図１において、水平可動型手摺り装置１ａは、湯２８が張られた浴槽２７に接して設けられている浴室の壁面２９に設置されている。水平可動型手摺り装置１ａは、縦手摺り８ａ（第一の手摺り）と横手摺り８ｂ（第三の手摺り）を有しており、縦手摺り８ａの周囲に円筒状にストッパー２が設けられ、さらにその下方には可動手摺りガイド５を介して可動手摺り７（第二の手摺り）を備える可動手摺り支持部４が設けられている。ストッパー２は、縦手摺り８ａに穿設された図示されないねじ孔と符合するねじ孔１２にねじを螺設することによって固定することができる。
【００１７】
また、ストッパー２のレバー３はここでは図示されない留め具によって手前側に半円弧ほど回転可能に設けられており、下に降ろしたときには、可動手摺り支持部４に設けられた突起部（図示せず）の側面に当接することによって、可動手摺り支持部４の回動を制限する。
【００１８】
このレバー３の作用については後ほど詳しく述べる。図１に示されるとおり、可動手摺り７は壁面２９から９０°まで回転可能となっている。可動手摺り支持部４は、その下方に設けられたＴ型連結部６によって下方へ移動することなく保持されている。可動手摺り支持部４は、回転する必要があることから縦手摺り８ａに固定できないため、縦手摺り８ａの長手方向に保持する部材が必要となるのである。
【００１９】
また、Ｔ型連結部６は浴槽２７に並行して壁面２９に設置された横手摺り８ｂと縦手摺り８ａを連結するものであり、横手摺り８ｂに穿設された位置調整用孔１１ｂと符合するねじ孔１３にねじを螺設することによって、水平方向に位置を調節しながら固定することができる。縦手摺り８ａはフランジ９ａに穿設されたねじ孔１０ａに、また横手摺り８ｂはフランジ９ｂに穿設されたねじ孔１０ｂにそれぞれねじを螺設することによって、壁面２９に固設される。なお、縦手摺り８ａを水平方向へ移動させるためには、壁面２９上を水平方向へ移動させる必要があるため、フランジ９ａに穿設されたねじ孔１０ａと符合するようなねじ孔（図示せず）が壁面２９に必要となる。従って、横手摺り８ｂを縦手摺り８ａの上部にも設けることが望ましい。
【００２０】
このように構成された本実施の形態において、利用者が浴槽２７に入る場合には、可動手摺り７は予め壁面２９に並行になるように収納されており、縦手摺り８ａや横手摺り８ｂとともに単に壁面２９に並行な手摺りとして使用できる。
【００２１】
一方、利用者が浴槽２７から出ようとする場合について説明する。ここでは、図示しないが、利用者は浴槽２７の左側に足を出しており、頭が右側にあると仮定する。そのような状況において、利用者は、まずストッパー２のレバー３を上げ、可動手摺り支持部４が縦手摺り８ａの周囲を回動できるようにした上で、可動手摺り７を手前に引き、レバー３を下げて可動手摺り７が戻らないように固定する。そうして両手を可動手摺り７にかけて浴槽２７内で起き上がる。このように両手で体重を支持することができるので、体、特に下半身が不自由な場合に介護の必要性も少なく、自分の力で安全に起き上がることができる。
【００２２】
また、必要な場合にのみ壁面２９に垂直な方向に可動手摺り７を引き出せるため、健常者が浴槽２７を使用する場合には、壁面２９に並行に収納しておくことによって障害にならないし美観を損なうこともない。さらに、例えば、横手摺り８ｂに両手をかけても起き上がることができるが、その場合には、壁面２９が障害になって横手摺り８ｂの上に身を乗り出すことができないものの、可動手摺り７の場合は浴槽２７の中央付近に壁面２９から垂直に可動手摺り７を位置させることができるので、可動手摺り７の上に身を乗り出して体重を支えることができる。
【００２３】
なお、本実施の形態においては、浴室を例にとって説明したが、その他トイレや寝室にも水平可動型手摺り装置１ａが設置可能なのはもちろんのことである。
【００２４】
次に、図２（ａ）と図２（ｂ）を参照しながら本発明に係る手摺り装置の第２の実施の形態について説明する。（請求項１乃至３に対応）
図２（ａ）は第２の実施の形態に係る垂直可動型手摺り装置の概念図である。図２（ａ）において、図１に示される実施の形態と同一の部分については同一符号を付し、その構成の説明を省略する。
【００２５】
第１の実施の形態が水平方向に動く可動手摺り７であったのに対して、本実施の形態では、垂直可動型手摺り装置１ｂが垂直方向に動く可動手摺り７(第二の手摺り)を備えるものである。本実施の形態においても、Ｔ型連結部１４が縦手摺り８ｃ（第三の手摺り）と横手摺り８ｄ（第一の手摺り）を連結している。縦手摺り８ｃはフランジ９ｃに穿設されたねじ孔１０ｃにねじを螺設して、また、横手摺り８ｄはフランジ９ｄに穿設されたねじ孔１０ｄにねじを螺設して壁面２９に固定される。また、縦手摺り８ｃに穿設された位置調整用孔１１ｃと符合するねじ孔１５にねじを螺設することによって位置を調節しながら固定することができる。
【００２６】
しかしながら、本実施の形態においては、可動手摺り支持部４を保持するのはＴ型連結部１４ではなく、可動手摺り支持部４の左側に設けられたカラー１６である。このカラー１６とストッパー２で可動手摺り支持部４を挟むような構成になっている。さらに、ストッパー２と可動手摺り支持部４には、横手摺り８ｄに穿設された位置調整用孔１１ｄと符合するねじ孔１２とねじ孔１７がそれぞれ穿設されており、これらにねじを螺設することによって、横手摺り８ｄの長手方向に対して可動手摺り７の位置を調節しながら固定することが可能である。支持部４とストッパー２には、突起部４ａ，２ａがそれぞれ設けられている。また、ストッパー２には、レバー３ａが備えられており、このレバー３ａには垂直に突起部３ｂが設けられている。さらに、支持部４、可動手摺り７が急速に回転するのを防止するためにバネなどの緩衝部１６ａが設置されている。
【００２７】
図２（ｂ）は、図２（ａ）中符号Ａ−Ａ線で示す部分の矢視断面図である。図２（ｂ）において、横手摺り８ｄ（第一の手摺り）の周囲に筒状に設けられたストッパー２の突起部２ａと支持部４の突起部４ａは、下方で当接した状態にあり、レバー３ａの突起部３ｂの下面が突起部４ａの上面を押さえ、支持部４の上方向への回転が抑制されている。一方、可動手摺り７が壁面２９に並行に収納されている状態においては、突起部４ａが上方に移動しており、レバー３ａの突起部３ｂは、その上面で突起部４ａの下面を支持して可動手摺り７と支持部４の下方向への回転を防止する。
【００２８】
このように構成された第２の実施の形態においては、可動手摺り７が壁面２９に並行に収納した場合には、縦手摺り８ｃと同様に縦の手摺りとして利用できる。そして、浴槽２７から出る場合には、第１の実施の形態と同様に、レバー３ａを上方向に回してストッパー２を解除して可動手摺り支持部４を回転させて可動手摺り７を手前まで降ろす。その際、緩衝部１６ａが可動手摺り７の動きを緩やかにする。その後、再びレバー３ａを今度は下げてストッパー２を作用させて可動手摺り７を固定し、両手をかけて起き上がる。
【００２９】
従って、本実施の形態によっても、第１の実施の形態と同様の効果がある。また、可動手摺り７の位置調節が水平方向で可能となる。
なお、第１の実施の形態と第２の実施の形態の説明では、縦手摺り８ａ，８ｃと横手摺り８ｂ，８ｄがそれぞれ１本ずつでＴ字形に構成されていたが、縦手摺り８ａ，８ｃを２本とし、横手摺り８ｂ，８ｄを１本としてＨ字形に構成したり、もっと多くの縦手摺り８ａと横手摺り８ｂを用いて複雑に構成させてもよいことは言うまでもない。
【００３０】
次に、図３と図４を用いて本発明に係る手摺り装置のストッパー２のレバー３と可動手摺り支持部４の突起部４ａの構造について詳細に説明する。
まず、図３（ａ）は、図１に示される第１の実施の形態に係る水平可動型手摺り装置のストッパー２と可動手摺り支持部４を示す外形図である。また、図３（ｂ）は、図３（ａ）中の符号Ｂ−Ｂ線で示される部分における矢視断面図である。
【００３１】
図３（ａ），（ｂ）は、図示されない可動手摺りが浴室の壁面から利用者によって垂直に引き出された状態、すなわち図１に示されるような状態の位置関係を示している。突起部２ａを有するストッパー２は、縦手摺り８ａの周囲に円筒状に設置され、レバー３は突設された２つのブラケット１８に挟まれてねじ１９を軸中心として手前側に半回転可能に設けられている。ストッパー２の下部には、可動手摺り支持部４が設けられており、可動手摺りガイド５を介して図示されない可動手摺りが延設されている。
【００３２】
レバー３には図３（ｂ）に示されるように突起が設けられており、その突起がほぼ四分円筒状に形成された突起部４ａの側面に当接して、可動手摺り支持部４が上側、すなわち図３（ｂ）において時計回りに回転するのを防止している。しかも、可動手摺り支持部４がさらに時計と反対回りに回転しようとすることに対しては、ストッパー２の突起部２ａと可動手摺り支持部４の突起部４ａが側面同士で当接することによって防止されるため、可動手摺りは壁面から垂直な位置で固定される。
【００３３】
一方、図４（ａ）は、図３（ａ）と同様に水平可動型手摺り装置のストッパー２と可動手摺り支持部４を示す外形図であり、図４（ｂ）は図４（ａ）中の符号Ｃ−Ｃで示される部分における矢視断面図である。
図４（ａ），（ｂ）は、図示されない可動手摺りが浴室の壁面へ並行に収納された状態の位置関係を示している。図４（ａ），（ｂ）においては、図３（ａ），（ｂ）と同一部分には同一符号を付し、その構成についての説明を省略する。
【００３４】
図４（ａ）から、可動手摺りガイド５が手前に引かれて突起部４ａがレバー３の左側に移動しているのがわかる。図４（ｂ）に示されるとおり、今度はレバー３の突起が可動手摺り支持部４の突起部４ａの右側の側面に当接して、可動手摺り支持部４が反時計回りに回転することを防止している。しかも、可動手摺り支持部４がさらに時計回りに回転しようとすることに対してはストッパー２の突起部２ａが可動手摺り支持部４の突起部４ａと側面同士で当接することによって防止するため、結局可動手摺りは壁面と並行な位置で固定されることになる。
【００３５】
なお、図３，４では第１の実施の形態に係る水平可動型手摺り装置のストッパー２のレバー３と可動手摺り支持部４の突起部４ａの構造について詳細したため、可動手摺りの可動範囲が、壁面に並行な位置から垂直な位置まで９０°となったものの、半円弧状に形成された突起部２ａと四分円弧状に形成された突起部４ａの形状や位置関係を変化させることによれば、所望の位置から所望の位置まで可動手摺りの移動角度を変化させることができる。
【００３６】
最後に図５を用いて、本発明に係る手摺り装置の第３の実施の形態について説明する。（請求項１および請求項２に対応）
【００３７】
図５は、第３の実施の形態に係る水平移動型手摺り装置の概念図である。図５において、図１あるいは図２（ａ）に示される部分と同一の部分については同一符号を付し、その構成の説明は省略する。水平移動型手摺り装置１ｃは、手摺りユニット２０の周囲にストッパー２、可動手摺り支持部４を設けたものであり、その両端は支持部材２２によって支持され、壁面２９には支持脚２４およびフランジ２５に穿設されたねじ孔２６にねじを嵌め込んで固定される。支持部材２２にはねじ孔２３が穿設されており、手摺りユニット２０に設けられた位置調整用孔２１と符合させてねじで位置調節可能に固定される。しかも、図５に示される下方の支持部材２２は可動手摺り支持部４を保持する機能も有している。
【００３８】
このように構成された本実施の形態においては、第一の実施の形態および第２の実施の形態における効果のほか、手摺りユニット２０がフランジ部を有さず支持部材２２を介して壁面２９に設置されるので、高さの位置調節が容易であり、強度さえ保てば少ない構造物で可動手摺り７を設置可能である。また、本実施の形態においては、縦手摺りとしたが、これをそのまま横にして設置することも可能であり、設置方法にも広がりを持たせることができる。
【００３９】
【発明の効果】
以上説明したように、本発明の手摺り装置においては、高齢者や身体障害者などが、浴室やトイレあるいは寝室で必要なときに可動手摺りを手前に移動させつつ、それに両手をかけて可動手摺りの上に身を乗り出して上体を起こすことができる。
【図面の簡単な説明】
【図１】本発明に係る手摺り装置の第１の実施の形態を説明するための概念図である。
【図２】（ａ）は、本発明に係る手摺り装置の第２の実施の形態を説明するための概念図であり、（ｂ）は（ａ）中符号Ａ−Ａ線で示される部分の矢視断面図である。
【図３】（ａ）は、第１の実施の形態に係る水平可動型手摺り装置のストッパーと可動手摺り支持部を示す外形図であり、（ｂ）は、（ａ）中符号Ｂ−Ｂ線で示される部分の矢視断面図である。
【図４】（ａ）は、第１の実施の形態に係る水平可動型手摺り装置のストッパーと可動手摺り支持部を示す外形図であり、（ｂ）は、（ａ）中符号Ｃ−Ｃ線で示される部分の矢視断面図である。
【図５】本発明に係る手摺り装置の第３の実施の形態を説明するための概念図である。
【図６】手摺り装置の従来例を説明するための概念図である。
【符号の説明】
１ａ…水平可動型手摺り装置  １ｂ…垂直可動型手摺り装置  １ｃ…水平移動型手摺り装置  ２…ストッパー  ２ａ…突起部  ３…レバー  ３ａ…レバー  ３ｂ…突起部  ４…可動手摺り支持部  ４ａ…突起部  ５…可動手摺りガイド  ６…Ｔ型連結部  ７…可動手摺り  ８ａ，８ｃ…縦手摺り  ８ｂ，８ｄ…横手摺り  ９ａ，９ｂ，９ｃ，９ｄ…フランジ  １０ａ，１０ｂ，１０ｃ，１０ｄ…ねじ孔１１ａ，１１ｂ…位置調整用孔  １２…ねじ孔  １３…ねじ孔  １４…Ｔ型連結部  １５…ねじ孔  １６…カラー  １６ａ…ダンパ  １７…ねじ孔  １８…ブラケット  １９…ねじ  ２０…手摺りユニット  ２１…位置調整用孔  ２２…支持部材  ２３…ねじ孔  ２４…支持脚  ２５…フランジ  ２６…ねじ孔  ２７…浴槽  ２８…湯  ２９…壁面  ３０…移動式手摺り装置  ３１…手摺り  ３２…中間金具  ３３…中間座  ３４…縦手摺り  ３５…台座  ３６…ねじ孔  ３７…ねじ孔  ３８…ねじ孔  ３９…ねじ孔  ４０…位置調整用孔  ４１…位置調整用孔
【図１】
0003723118.tif 000002
【図２】
0003723118.tif 000003
【図３】
0003723118.tif 000004
【図４】
0003723118.tif 000005
【図５】
0003723118.tif 000006
【図６】
0003723118.tif 000007